(57)【要約】  携帯用機器の制御方法、ディスプレイ装置の制御方法及び映像システムの制御方法が提供される。本携帯用機器の制御方法によると、携帯用機器がディスプレイ装置にアプリケーションを伝送し、携帯用機器とディスプレイ装置はアプリケーションを実行し、携帯用機器はユーザから特定情報を受信してディスプレイ装置に伝送し、ディスプレイ装置が特定情報に従ってアプリケーションの状態を制御するようになる。これにより、ユーザは携帯用機器を用いてディスプレイ装置を制御することができるようになる。
2013507874.tif 000002
【特許請求の範囲】
【請求項１】
ディスプレイ装置と通信可能な携帯用機器の制御方法において、
前記携帯用機器で実行される第１アプリケーションと前記ディスプレイ装置で実行される第２アプリケーションとを保存するステップと、
前記第１アプリケーションを実行するステップと、
前記ディスプレイ装置に前記第２アプリケーションを伝送するステップと
を含む携帯用機器の制御方法。
【請求項２】
ユーザから特定情報が入力されるステップと、
前記第２アプリケーションが前記ディスプレイ装置で実行されている状態で、前記入力された情報を前記ディスプレイ装置に伝送するステップと
を更に含むことを特徴とする請求項１に記載の携帯用機器の制御方法。
【請求項３】
前記入力されるステップは、
前記特定情報としてユーザの音声情報を受信し、
前記伝送するステップは、
前記ディスプレイ装置に前記入力された音声情報を伝送することを特徴とする請求項２に記載の携帯用機器の制御方法。
【請求項４】
前記入力されるステップは、
前記特定情報としてユーザのタッチ操作情報を受信し、
前記伝送するステップは、
前記ディスプレイ装置に前記入力されたタッチ操作情報を伝送することを特徴とする請求項２に記載の携帯用機器の制御方法。
【請求項５】
前記入力されるステップは、
前記特定情報としてモーション情報を受信し、
前記伝送するステップは、
前記ディスプレイ装置に前記入力されたモーション情報を伝送することを特徴とする請求項２に記載の携帯用機器の制御方法。
【請求項６】
前記第１アプリケーションは、
前記ディスプレイ装置を制御するためのインターフェース機能を有するアプリケーションを含むことを特徴とする請求項１に記載の携帯用機器の制御方法。
【請求項７】
前記第２アプリケーションは、
前記ディスプレイ装置で実行され、前記携帯用機器で入力される情報に従って実行状態が制御されるアプリケーションを含むことを特徴とする請求項１に記載の携帯用機器の制御方法。
【請求項８】
別の携帯用機器と通信可能に接続するステップと、
前記別の携帯用機器に前記第１アプリケーションを伝送するステップと
を更に含むことを特徴とする請求項１に記載の携帯用機器の制御方法。
【請求項９】
前記ディスプレイ装置にユーザ情報を伝送するステップを更に含むことを特徴とする請求項１に記載の携帯用機器の制御方法。
【請求項１０】
携帯用機器で実行される第１アプリケーションとディスプレイ装置で実行される第２アプリケーションとが保存された携帯用機器と通信可能に接続されたディスプレイ装置の制御方法において、
前記第１アプリケーションが前記携帯用機器で実行されている状態で、前記携帯用機器から前記第２アプリケーションを受信するステップと、
前記受信された第２アプリケーションを実行するステップと、
前記第１アプリケーションが前記携帯用機器で実行されている状態で、前記携帯用機器から特定情報を受信するステップと、
前記受信された特定情報に従って前記第２アプリケーションの実行状態を制御するステップと
を含むディスプレイ装置の制御方法。
【請求項１１】
前記携帯用機器は前記特定情報としてユーザの音声情報を受信し、
前記特定情報を受信するステップは、
前記携帯用機器により入力された音声情報を受信し、
前記制御するステップは、
前記受信された音声情報を音声認識を通じて認識し、前記認識された情報に従って前記第２アプリケーションの実行状態を制御することを特徴とする請求項１０に記載のディスプレイ装置の制御方法。
【請求項１２】
前記携帯用機器は前記特定情報としてユーザのタッチ操作情報を受信し、
前記特定情報を受信するステップは、
前記携帯用機器により入力されたタッチ操作情報を受信し、
前記制御するステップは、
前記受信されたタッチ操作情報を認識し、前記認識された情報に従って前記第２アプリケーションの実行状態を制御することを特徴とする請求項１０に記載のディスプレイ装置の制御方法。
【請求項１３】
前記携帯用機器は前記特定情報としてモーション情報を受信し、
前記特定情報を受信するステップは、
前記携帯用機器により入力されたモーション情報を受信し、
前記制御するステップは、
前記受信されたモーション情報に従って前記第２アプリケーションの実行状態を制御することを特徴とする請求項１０に記載のディスプレイ装置の制御方法。
【請求項１４】
前記第１アプリケーションは、
前記ディスプレイ装置を制御するためのインターフェース機能を有するアプリケーションを含むことを特徴とする請求項１０に記載のディスプレイ装置の制御方法。
【請求項１５】
前記第２アプリケーションは、
前記ディスプレイ装置で実行され、前記携帯用機器で入力される情報に従って実行状態が制御されるアプリケーションを含むことを特徴とする請求項１０に記載のディスプレイ装置の制御方法。
【請求項１６】
別の携帯用機器と通信可能に接続するステップと、
前記第１アプリケーションが前記別の携帯用機器で実行されている状態で、前記別の携帯用機器から特定情報を受信するステップと、
前記別の携帯用機器から受信された特定情報に従って前記第２アプリケーションの実行状態を制御するステップと
を更に含むことを特徴とする請求項１０に記載のディスプレイ装置の制御方法。
【請求項１７】
前記携帯用機器からユーザ情報を受信するステップと、
前記受信されたユーザ情報を用いて前記携帯用機器のユーザを認識するステップと
を更に含むことを特徴とする請求項１０に記載のディスプレイ装置の制御方法。
【請求項１８】
ディスプレイ装置と携帯用機器が通信可能に接続された映像システムの制御方法において、
前記携帯用機器が、前記携帯用機器で実行される第１アプリケーションと前記ディスプレイ装置で実行される第２アプリケーションとを保存するステップと、
前記携帯用機器が前記第１アプリケーションを実行するステップと、
前記携帯用機器が前記ディスプレイ装置に前記第２アプリケーションを伝送するステップと、
前記ディスプレイ装置が前記第２アプリケーションを実行するステップと、
前記携帯用機器にユーザから特定情報が入力されるステップと、
前記携帯用機器が前記ディスプレイ装置に前記入力された情報を伝送するステップと、前記ディスプレイ装置が受信された前記特定情報に従って前記第２アプリケーションの実行状態を制御するステップと
を含む映像システムの制御方法。
【請求項１９】
前記ディスプレイ装置及び前記携帯用機器が別の携帯用機器と通信可能に接続するステップと、
前記携帯用機器が前記別の携帯用機器に第１アプリケーションを伝送するステップと、
前記別の携帯用機器が前記第１アプリケーションを実行するステップと、
前記別の携帯用機器にユーザから特定情報が入力されるステップと、
前記別の携帯用機器が前記入力された特定情報を前記ディスプレイ装置に伝送するステップと、
前記ディスプレイ装置が前記別の携帯用機器から受信された特定情報に従って前記第２アプリケーションの実行状態を制御するステップと
を更に含むことを特徴とする請求項１８に記載の映像システムの制御方法。
【発明の詳細な説明】
【技術分野】
【０００１】
本発明は、携帯用機器の制御方法、ディスプレイ装置の制御方法及び映像システムの制御方法に関し、より詳細には、携帯電話を用いてディスプレイ装置にユーザの操作を入力するための携帯用機器の制御方法、ディスプレイ装置の制御方法及び映像システムの制御方法に関する。
【背景技術】
【０００２】
テレビは、リモコンを用いて制御されるのが一般的である。しかし、テレビの技術が発展するにつれ、テレビは非常に多様な機能を提供し、アプリケーションを実行させることもできるようになった。しかし、通常のリモコンは機能の制限により、多様なユーザの操作を入力することができない。なお、リモコンの機能を向上させるためには、リモコンの価格の上昇は避けられない。しかし、ユーザは、高価なリモコンの購入を敬遠するのが現実である。
【０００３】
現代人にとって、携帯電話は必需品の一つになっている。なお、携帯電話はユーザが常に持ち歩く物となっている。なお、携帯電話は無線通信が可能であり、リモコンから提供されない多くの機能が提供される。
【０００４】
ユーザはテレビの多様な機能を手軽に利用することを望んでいる。それにより、携帯電話を用いてテレビのようなディスプレイ装置を制御するための方策への模索が求められる。
【発明の概要】
【発明が解決しようとする課題】
【０００５】
そこで、本発明は、上記問題に鑑みてなされたものであり、本発明の目的とするところは、携帯用機器がディスプレイ装置にアプリケーションを伝送し、携帯用機器とディスプレイ装置はアプリケーションを実行し、携帯用機器はユーザから特定情報を受信してディスプレイ装置に伝送し、ディスプレイ装置が特定情報に従ってアプリケーションの状態を制御する携帯用機器の制御方法、ディスプレイ装置の制御方法及び映像システムの制御方法を提供することにある。
【課題を解決するための手段】
【０００６】
前記目的を達成するための本発明の一実施形態に係るディスプレイ装置と通信可能な携帯用機器の制御方法は、前記携帯用機器で実行される第１アプリケーションと前記ディスプレイ装置で実行される第２アプリケーションとを保存するステップと、前記第１アプリケーションを実行するステップと、前記ディスプレイ装置に前記第２アプリケーションを伝送するステップとを含む。
【０００７】
そして、ユーザから特定情報が入力されるステップと、前記第２アプリケーションが前記ディスプレイ装置で実行されている状態で、前記入力された情報を前記ディスプレイ装置に伝送するステップとを更に含んでよい。
【０００８】
なお、前記入力されるステップは、前記特定情報としてユーザの音声情報を受信し、前記伝送するステップは、前記ディスプレイ装置に前記入力された音声情報を伝送してよい。
【０００９】
そして、前記入力されるステップは、前記特定情報としてユーザのタッチ操作情報を受信し、前記伝送するステップは、前記ディスプレイ装置に前記入力されたタッチ操作情報を伝送してよい。
【００１０】
なお、前記入力されるステップは、前記特定情報としてモーション情報を受信し、前記伝送するステップは、前記ディスプレイ装置に前記入力されたモーション情報を伝送してよい。
【００１１】
そして、前記第１アプリケーションは、前記ディスプレイ装置を制御するためのインターフェース機能を有するアプリケーションを含んでよい。
【００１２】
なお、前記第２アプリケーションは、前記ディスプレイ装置で実行され、前記携帯用機器で入力される情報に従って実行状態が制御されるアプリケーションを含んでよい。
【００１３】
そして、別の携帯用機器と通信可能に接続するステップと、前記別の携帯用機器に前記第１アプリケーションを伝送するステップとを更に含んでよい。
【００１４】
そして、前記ディスプレイ装置にユーザ情報を伝送するステップを更に含んでよい。
【００１５】
一方、本発明の一実施形態に係る携帯用機器で実行される第１アプリケーションとディスプレイ装置で実行される第２アプリケーションとが保存された携帯用機器と通信可能に接続されたディスプレイ装置の制御方法は、前記第１アプリケーションが前記携帯用機器で実行されている状態で、前記携帯用機器から前記第２アプリケーションを受信するステップと、前記受信された第２アプリケーションを実行するステップと、前記第１アプリケーションが前記携帯用機器で実行されている状態で、前記携帯用機器から特定情報を受信するステップと、前記受信された特定情報に従って前記第２アプリケーションの実行状態を制御するステップとを含む。
【００１６】
そして、前記携帯電話は前記特定情報としてユーザの音声情報を受信し、前記特定情報を受信するステップは、前記携帯電話により入力された音声情報を受信し、前記制御するステップは、前記受信された音声情報を音声認識を通じて認識し、前記認識された情報に従って前記第２アプリケーションの実行状態を制御してよい。
【００１７】
なお、前記携帯電話は前記特定情報としてユーザのタッチ操作情報を受信し、前記特定情報を受信するステップは、前記携帯電話により入力されたタッチ操作情報を受信し、前記制御するステップは、前記受信されたタッチ操作情報を認識し、前記認識された情報に従って前記第２アプリケーションの実行状態を制御してよい。
【００１８】
そして、前記携帯電話は前記特定情報としてモーション情報を受信し、前記特定情報を受信するステップは、前記携帯電話により入力されたモーション情報を受信し、前記制御するステップは、前記受信されたモーション情報に従って前記第２アプリケーションの実行状態を制御してよい。
【００１９】
なお、前記第１アプリケーションは、前記ディスプレイ装置を制御するためのインターフェース機能を有するアプリケーションを含んでよい。
【００２０】
そして、前記第２アプリケーションは、前記ディスプレイ装置で実行され、前記携帯用機器で入力される情報に従って実行状態が制御されるアプリケーションを含んでよい。
【００２１】
なお、別の携帯用機器と通信可能に接続するステップと、前記第１アプリケーションが前記別の携帯用機器で実行されている状態で、前記別の携帯用機器から特定情報を受信するステップと、前記別の携帯用機器から受信された特定情報に従って前記第２アプリケーションの実行状態を制御するステップとを更に含んでよい。
【００２２】
そして、前記携帯用機器からユーザ情報を受信するステップと、前記受信されたユーザ情報を用いて前記携帯用機器のユーザを認識するステップとを更に含んでよい。
【００２３】
一方、本発明の一実施形態に係るディスプレイ装置と携帯用機器が通信可能に接続された映像システムの制御方法は、前記携帯用機器が、前記携帯用機器で実行される第１アプリケーションと前記ディスプレイ装置で実行される第２アプリケーションとを保存するステップと、前記携帯用機器が前記第１アプリケーションを実行するステップと、前記携帯用機器が前記ディスプレイ装置に前記第２アプリケーションを伝送するステップと、前記ディスプレイ装置が前記第２アプリケーションを実行するステップと、前記携帯用機器にユーザから特定情報が入力されるステップと、前記携帯用機器が前記ディスプレイ装置に前記入力された情報を伝送するステップと、前記ディスプレイ装置が前記受信された特定情報に従って前記第２アプリケーションの実行状態を制御するステップとを含む。
【００２４】
そして、前記ディスプレイ装置及び前記携帯用機器が別の携帯用機器と通信可能に接続するステップと、前記携帯用機器が前記別の携帯用機器に第１アプリケーションを伝送するステップと、前記別の携帯用機器が前記第１アプリケーションを実行するステップと、前記別の携帯用機器にユーザから特定情報が入力されるステップと、前記別の携帯用機器が前記入力された特定情報を前記ディスプレイ装置に伝送するステップと、前記ディスプレイ装置が前記別の携帯用機器から受信された特定情報に従って前記第２アプリケーションの実行状態を制御するステップとを更に含んでよい。
【発明の効果】
【００２５】
本発明の多様な実施形態によると、携帯用機器がディスプレイ装置にアプリケーションを伝送し、携帯用機器とディスプレイ装置はアプリケーションを実行し、携帯用機器はユーザから特定情報を受信してディスプレイ装置に伝送し、ディスプレイ装置が特定情報に従ってアプリケーションの状態を制御する携帯用機器の制御方法、ディスプレイ装置の制御方法及び映像システムの制御方法を提供することができ、ユーザは携帯用機器を用いてディスプレイ装置を制御できるようになる。
【００２６】
特に、ユーザは携帯用機器に所望のアプリケーションを保存しておき、所望のディスプレイ装置にアプリケーションを伝送してアプリケーションを実行させることができるようになる。従って、ユーザは携帯用機器に保存されたアプリケーションをいかなるディスプレイ装置にでも連動して実行させることができるようになる。それを通じて、ユーザは携帯用機器を用いて所望のアプリケーションを容易に携帯することができるようになる。
【００２７】
なお、携帯用機器を用いてユーザの操作を入力できるようになるため、ユーザは携帯用機器にある多様な種類の入力手段をディスプレイ装置の操作に利用することができるようになる。
【図面の簡単な説明】
【００２８】
【図１】本発明の一実施形態に係るテレビと携帯電話とで構成された映像システムを示す図である。
【図２】本発明の一実施形態に係るテレビと携帯電話との詳細な構成を示すブロック図である。
【図３】本発明の一実施形態に係るテレビと携帯電話との制御方法について説明するために提供されるフローチャートである。
【図４】本発明の一実施形態に係る携帯電話、別の携帯電話及びテレビの制御方法について説明するために提供されるフローチャートである。
【図５】本発明の一実施形態に係る携帯電話がゲームＡをテレビに伝送して実行する過程を示す図である。
【図６】本発明の一実施形態に係る携帯電話がゲームＡをテレビに伝送して実行する過程を示す図である。
【図７】本発明の一実施形態に係る携帯電話がゲームＡをテレビに伝送して実行する過程を示す図である。
【図８】本発明の一実施形態に係るユーザが携帯電話に音声を入力すると、音声情報がテレビに伝送される様子を示す図である。
【図９】本発明の一実施形態に係るユーザが携帯電話にタッチ操作を入力すると、タッチ操作情報がテレビに伝送される様子を示す図である。
【図１０】本発明の一実施形態に係るユーザが携帯電話にモーション情報を入力すると、モーション情報がテレビに伝送される様子を示す図である。
【図１１】本発明の一実施形態に係る３つの携帯電話がテレビと連動している様子を示す図である。
【発明を実施するための形態】
【００２９】
以下に添付図面を参照しながら、本発明の好適な実施形態について詳細に説明する。
【００３０】
図１は、本発明の一実施形態に係るテレビ１００と携帯電話２００とで構成された映像システムを示す図である。図１に示すように、テレビ１００は携帯電話２００と相互通信ができるように接続される。具体的に、テレビ１００と携帯電話２００とは、ブルートゥース、Ｚｉｇｂｅｅ（登録商標）、又は無線ＬＡＮなどの無線通信網を通じて相互通信ができるように接続される。
【００３１】
携帯電話２００は、アプリケーションを保存及び実行することができる。具体的に、携帯電話２００は、一つのアプリケーションに対してテレビ用のアプリケーションと携帯電話用のアプリケーションとを併せて保存することもできる。そして、携帯電話２００は、テレビ用のアプリケーションをテレビ１００に伝送する。
【００３２】
ここで、テレビ用のアプリケーションとは、テレビで実行するために提供されるアプリケーションのことを意味する。テレビ用のアプリケーションは、画面に各種情報及び映像を表示する機能を具備する。テレビ用のアプリケーションは、携帯電話２００から入力される情報に従って実行状態が制御される。
【００３３】
携帯電話用のアプリケーションとは、携帯電話で実行するために提供されるアプリケーションのことを意味する。携帯電話用のアプリケーションは、携帯電話がユーザインターフェース機器として使用できるようにする機能を具備する。即ち、携帯電話用のアプリケーションは、ディスプレイ装置１００を制御するためのインターフェース機能を有するアプリケーションを含む。
【００３４】
テレビ１００と携帯電話２００とが、相互通信できるように接続されている状態で、テレビ用のアプリケーションと携帯電話用のアプリケーションとは、相互連動して実行される。従って、テレビ用のアプリケーションと携帯電話用のアプリケーションとが実行されている状態で、携帯電話２００にユーザの所望の操作を入力した場合、テレビ１００は入力された操作に従ってテレビ用のアプリケーションの実行状態を制御するようになる。
【００３５】
クイズゲームアプリケーションを例にとって説明すると、テレビ用のアプリケーションはテレビ１００でクイズ内容、クイズの正否及びクイズの実行過程が実行及び表示されるようにする機能を具備する。そして、携帯電話用のアプリケーションは、携帯電話２００により正解が入力されるようにする機能をもつ。従って、テレビ１００は、画面にクイズ内容を表示し、携帯電話２００にはユーザからクイズの正解に対する操作情報が入力されるようになる。その他にも、アプリケーションは、テレビ１００及び携帯電話２００で実行できるものであれば、いかなるアプリケーションであっても可能である。例えば、アプリケーションは多様な種類のゲームアプリケーション、映像アプリケーションなどであってよい。
【００３６】
このように、テレビ１００と携帯電話２００の制御システムを用いると、ユーザは携帯電話２００を用いてテレビ１００で実行されるアプリケーションを制御できるようになる。なお、ユーザは所望のアプリケーションを携帯電話２００に保存してテレビ１００に伝送することができるため、アプリケーションの携帯が容易になる。
【００３７】
図２は、本発明の一実施形態に係るテレビ１００と携帯電話２００との詳細な構造を示すブロック図である。図２に示すように、テレビ１００は、放送受信部１１０と、映像処理部１２０と、ディスプレイ部１３０と、保存部１４０と、操作部１５０と、通信部１６０及び制御部１７０を含む。
【００３８】
放送受信部１１０は、放送局又は衛星から有線又は無線により放送信号を受信して復調する。そして、放送受信部１１０は、受信された放送信号を映像処理部１２０に伝送する。
【００３９】
映像処理部１２０は、放送受信部１１０から伝送された放送信号に対する圧縮解除や鮮明度の補正などの信号処理を行う。そして、映像処理部１２０は、圧縮が解除され、鮮明度の向上した放送映像をディスプレイ部１３０に伝送する。
【００４０】
ディスプレイ部１３０は、映像処理部１２０から伝送された放送映像を画面に出力させる。
【００４１】
保存部１４０は、テレビ１００を動作させるための各種プログラムを保存する。なお、保存部１４０は、多様なアプリケーションを保存する。具体的に、保存部１４０は携帯電話２００から受信されたテレビ用のアプリケーションを保存することもできる。
【００４２】
ここで、テレビ用のアプリケーションとは、テレビで実行するために提供されるアプリケーションのことを意味する。テレビ用のアプリケーションは、画面に各種情報及び映像を表示する機能を具備する。テレビ用のアプリケーションは、携帯電話２００から入力される情報に従って実行状態が制御される。
【００４３】
このような保存部１４０は、ハードディスクや非揮発性メモリなどで実現されてよい。
【００４４】
操作部１５０は、ユーザの命令が入力されて制御部１７０に伝送する。操作部１５０は、リモコン（図示せず）、テレビ１００に設けられた操作ボタン（図示せず）、又はタッチスクリーンなどを通じて実現されてよい。
【００４５】
通信部１６０は、有無線通信網を通じて外部機器と通信できるように接続される。具体的に、通信部１６０は、ブルートゥース、Ｚｉｇｂｅｅ（登録商標）、及び無線ＬＡＮなどを用いた無線通信網を通じて携帯電話２００と通信できるように接続される。
【００４６】
通信部１６０は、携帯電話２００からテレビ用のアプリケーションを受信する。そして、通信部１６０は、携帯電話２００からユーザの操作によって入力された情報を受信する。
【００４７】
制御部１７０は、テレビ１００の動作の全般を制御する。具体的に、制御部１７０は、携帯電話２００から受信されたテレビ用のアプリケーションを実行させる。例えば、制御部１７０はテレビ用のアプリケーションを実行する場合、ゲームプラットフォームを基盤とするテレビゲームローダ（Ｌｏａｄｅｒ）機能を含んでよい。なお、制御部１７０は、携帯電話２００から受信されたアプリケーションをロード（Ｌｏａｄ）するために、モバイルデータロードモジュール機能を含んでよい。
【００４８】
なお、制御部１７０は、携帯電話用のアプリケーションが携帯電話２００で実行されている状態で、携帯電話２００から特定情報を受信する。
【００４９】
ここで、特定情報は、テレビ用のアプリケーションを制御するための情報に該当する。具体的に、特定情報は、携帯電話２００を介して入力されたユーザの操作に関連した情報を意味する。ユーザの操作に関連した情報は、ユーザが携帯電話２００を操作することで入力される情報である。携帯電話２００は、ユーザの音声情報と、タッチ操作情報、ボタン操作情報及びモーション情報が入力されてよい。従って、特定情報は、ユーザの音声情報と、タッチ操作情報と、ボタン操作情報及びモーション情報のうち、いずれか一つであってよい。
【００５０】
そして、制御部１７０は、受信された特定情報に従って、テレビ用のアプリケーションの実行状態を制御する。
【００５１】
具体的に、携帯電話２００に特定情報としてユーザの音声情報が入力された場合、制御部１７０は携帯電話２００から音声情報を受信するようになる。そして、制御部１７０は、受信された音声情報を音声認識を通じて文字情報として認識し、認識された文字情報に従ってテレビ用のアプリケーションの実行状態を制御する。
【００５２】
そして、携帯電話２００に特定情報としてユーザのタッチ操作情報が入力される場合、制御部１７０は携帯電話２００から入力されたタッチ操作情報を受信する。そして、制御部１７０は、受信されたタッチ操作情報に従ってテレビ用のアプリケーションの実行状態を制御する。なお、制御部１７０は、受信されたタッチ操作情報を手書き文字認識を通じて文字情報として認識することもできる。この場合、制御部１７０は、認識された文字情報に従ってテレビ用のアプリケーションの実行状態を制御するようになる。
【００５３】
なお、携帯電話２００に特定情報としてユーザのボタン操作情報が入力される場合、制御部１７０は携帯電話２００から入力されたボタン操作情報を受信する。そして、制御部１７０は、受信されたボタン操作情報に従ってテレビ用のアプリケーションの実行状態を制御する。
【００５４】
そして、携帯電話２００には、特定情報としてモーション情報が入力されてよい。この場合、制御部１７０は、携帯電話２００から入力されたモーション情報を受信し、受信されたモーション情報に従ってテレビ用のアプリケーションの実行状態を制御する。
【００５５】
このように、制御部１７０は、多様な種類の特定情報を携帯電話２００から受信して、それに従ってテレビ用のアプリケーションの実行状態を制御するようになる。
【００５６】
一方、制御部１７０は、携帯電話２００からユーザ情報を受信してよい。そして、制御部１７０は受信されたユーザ情報を用いて携帯電話２００のユーザを認識するようになる。このように、制御部１７０が携帯電話２００のユーザを認識することにより、複数個の携帯電話が接続された場合にも、各携帯電話を識別できるようになる。従って、複数の携帯電話が接続された場合、制御部１７０は特定情報が受信された携帯電話がどの携帯電話かを区別できるようになる。それにより、制御部１７０はテレビ用のアプリケーションを複数のユーザが同時に利用できるようにする。
【００５７】
このように、テレビ１００は、携帯電話２００からテレビ用のアプリケーション及び特定情報を受信し、テレビ用のアプリケーションを実行及び制御させるようになる。
【００５８】
図２に示すように、携帯電話２００は、通信部２１０と、ディスプレイ部２１５と、保存部２２０と、音声入力部２３０と、音声出力部２４０と、タッチ検出部２５０と、ボタン部２５５と、モーション検出部２６０及び制御部２７０を含む。
【００５９】
通信部２１０は、移動通信網、無線通信網やインターネット網を通じて外部機器に接続できるように接続される。具体的に、通信部２１０は、移動通信網、無線通信網やインターネット網を通じてテレビ１００に接続できるように接続される。ここで、移動通信網は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）通信網又はＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信網などであってよい。そして、無線通信網は、ブルートゥース、Ｚｉｇｂｅｅ（登録商標）などを通じて接続される。そして、インターネット網は、無線ＬＡＮを通じて接続される。
【００６０】
通信部２１０は、保存部２２０に保存されたテレビ用のアプリケーションをテレビ１００に伝送する。なお、通信部２１０は特定情報をテレビ１００に伝送する。ここで、特定情報は、テレビ用のアプリケーションを制御するための情報に該当する。具体的に、特定情報は、携帯電話２００の音声入力部２３０と、タッチ検出部２５０と、ボタン部２５５及びモーション検出部２６０を介して入力されたユーザの入力に関連した情報又は携帯電話２００の制御部２７０によって処理された結果情報であってよい。
【００６１】
ディスプレイ部２１５は、携帯電話２００の機能を提供するための映像をディスプレイする。なお、ディスプレイ部２１５は、ユーザの操作のためのＧＵＩ（Ｇｒａｐｈｉｃ  Ｕｓｅｒ  Ｉｎｔｅｒｆａｃｅ）を画面にディスプレイするようになる。具体的に、ディスプレイ部２１５は、携帯電話用のアプリケーションが実行される画面をディスプレイする。
【００６２】
保存部２２０は、携帯電話２００の各種機能を行うためのプログラムが保存されている。なお、保存部２２０は多様な種類のアプリケーションが保存されている。具体的に、保存部２２０は、一つのアプリケーションに対してテレビ用のアプリケーションと携帯電話用のアプリケーションを併せて保存することもできる。
【００６３】
ここで、テレビ用のアプリケーションとは、テレビで実行するために提供されるアプリケーションのことを意味する。テレビ用のアプリケーションは、画面に各種情報及び映像を表示する機能を有する。テレビ用のアプリケーションは携帯電話２００から入力される情報に従って実態状態が制御される。
【００６４】
携帯電話用のアプリケーションとは、携帯電話で実行するために提供されるアプリケーションのことを意味する。携帯電話用のアプリケーションは、携帯電話がユーザインターフェース機器として使用できるようにする機能を有する。即ち、携帯電話用のアプリケーションはディスプレイ装置１００を制御するためのインターフェース機能を有するアプリケーションを含む。
【００６５】
このような保存部２２０は、ハードディスクや非揮発性メモリ等で実現されてよい。
【００６６】
音声入力部２３０は、ユーザの音声が入力される。具体的に、音声入力部２３０は、ユーザの音声を電気的信号で構成されている音声情報に変換し、変換された音声情報を制御部２７０に伝送する。
【００６７】
音声出力部２４０は、制御部２７０から伝送された音声信号をスピーカなどで出力する。
【００６８】
タッチ検出部２５０は、ユーザのタッチ操作情報を検出する。具体的に、タッチ検出部２５０は、ディスプレイ画面に対するユーザのタッチ操作を検出するタッチスクリーン形態で実現されてよい。そして、タッチ検出部２５０は、検出されたユーザのタッチ操作情報を制御部２７０に伝送する。
【００６９】
ボタン部２５５は、ユーザからボタン操作を受信する。そして、ボタン部２５５は入力されたユーザのボタン操作情報を制御部２７０に伝送する。
【００７０】
モーション検出部２６０は、携帯電話２００の動きに対するモーション情報を検出する。具体的に、モーション検出部２６０は、加速度センサ、角速度センサなどで実現されてよい。そして、モーション検出部２６０は、検出されたモーション情報を制御部２７０に伝送する。
【００７１】
制御部２７０は、携帯電話２００の動作の全般を制御する。具体的に、制御部２７０は、保存部２２０に保存された携帯電話用のアプリケーションを実行させる。そして、制御部２７０は、保存部２２０に保存されたテレビ用のアプリケーションがテレビ１００に伝送されるように制御する。
【００７２】
そして、制御部２７０は、携帯電話用のアプリケーションが実行されている状態で、ユーザの操作に従って特定情報が入力され、入力された特定情報をテレビ１００に伝送する。携帯電話２００は、音声入力部２３０を介してユーザの音声情報が入力され、タッチ検出部２５０を介してユーザのタッチ操作情報が入力され、ボタン部２５５を介してユーザのボタン操作情報が入力され、モーション検出部２６０を介して携帯電話２００のモーション情報が入力されてよい。従って、特定情報がユーザの操作に関連した情報である場合、特定情報はユーザの音声情報、タッチ操作情報、ボタン操作及びモーション情報のうち、いずれか一つであってよい。
【００７３】
具体的に、制御部２７０は、音声入力部２３０を介して特定情報としてユーザの音声情報が入力されると、入力された音声情報をテレビ１００に伝送する。なお、制御部２７０は、タッチ検出部２５０を介して特定情報としてユーザのタッチ操作情報が入力されると、入力されたタッチ操作情報をテレビ１００に伝送する。そして、制御部２７０は、ボタン部２５５を介してユーザのボタン操作が入力されると、入力されたボタン操作情報をテレビ１００に伝送する。制御部２７０は、モーション検出部２６０を介して特定情報としてモーション情報が入力されると、テレビ１００に入力されたモーション情報を伝送する。
【００７４】
このように、携帯電話２００は、ユーザより特定情報が入力されてテレビ１００に伝送するようになる。
【００７５】
以下では、図３を参照しながら、テレビ１００と携帯電話２００の制御方法について詳細に説明する。図３は、本発明の一実施形態に係るテレビ１００と携帯電話２００との制御方法について説明するために提供されるフローチャートである。
【００７６】
まず、携帯電話２００は、テレビ用のアプリケーション及び携帯電話用のアプリケーションを保存する（Ｓ３１０）。そして、携帯電話２００は、携帯電話用のアプリケーションを実行する（Ｓ３２０）。その後、携帯電話２００は、テレビ用のアプリケーションをテレビ１００に伝送する（Ｓ３３０）。
【００７７】
すると、テレビ１００は、テレビ用のアプリケーションを受信する（Ｓ３４０）。そして、テレビ１００は、テレビ用のアプリケーションを実行させる（Ｓ３５０）。
【００７８】
その後に、携帯電話２００には、ユーザの操作に従って特定情報が入力される（Ｓ３６０）。そして、携帯電話２００は、入力された特定情報をテレビ１００に伝送する（Ｓ３７０）。具体的に、携帯電話２００には音声入力部２３０を介してユーザの音声情報が入力され、タッチ検出部２５０を介してユーザのタッチ操作情報が入力され、ボタン部２５５を介してユーザのボタン操作情報が入力され、モーション検出部２６０を介して携帯電話２００のモーション情報が入力されてよい。従って、特定情報はユーザの操作に関連した情報であるユーザの音声情報と、タッチ操作情報、ボタン操作情報及びモーション情報のうち、いずれか一つであってよい。
【００７９】
具体的に、携帯電話２００は、音声入力部２３０を介して特定情報としてユーザの音声情報が入力されると、入力された音声情報をテレビ１００に伝送する。なお、携帯電話２００は、タッチ検出部２５０を介して特定情報としてユーザのタッチ操作情報が入力されると、入力されたタッチ操作情報をテレビ１００に伝送する。なお、携帯電話２００は、ボタン部２５５を介して特定情報としてユーザのボタン操作情報が入力されると、入力されたボタン操作情報をテレビ１００に伝送する。そして、携帯電話２００は、モーション検出部２６０を介して特定情報としてモーション情報が入力されると、テレビ１００に入力されたモーション情報を伝送する。
【００８０】
すると、テレビ１００は、携帯電話２００から特定情報を受信する（Ｓ３８０）。そして、テレビ１００は、受信された特定情報を処理し、それに従ってテレビ用のアプリケーションの実行状態を制御するようになる（Ｓ３９０）。
【００８１】
具体的に、携帯電話２００に特定情報としてユーザの音声情報が入力された場合、テレビ１００は携帯電話２００から音声情報を受信するようになる。そして、テレビ１００は、受信された音声情報を音声認識を通じて文字情報として認識し、認識された文字情報に従ってテレビ用のアプリケーションの実行状態を制御する。
【００８２】
そして、携帯電話２００に特定情報としてユーザのタッチ操作情報が入力された場合、テレビ１００は、携帯電話２００から入力されたタッチ操作情報を受信する。そして、テレビ１００は受信されたタッチ操作情報に従ってテレビ用のアプリケーションの実行状態を制御する。なお、テレビ１００は受信されたタッチ操作情報を手書き文字認識を通じて文字情報として認識することもできる。この場合、テレビ１００は、認識された文字情報に従ってテレビ用のアプリケーションの実行状態を制御するようになる。
【００８３】
なお、携帯電話２００に特定情報としてボタン操作情報が入力されてよい。この場合、テレビ１００は携帯電話２００から入力されたボタン操作情報を受信し、受信されたボタン操作情報に従ってテレビ用のアプリケーションの実行状態を制御する。
【００８４】
そして、携帯電話２００には、特定情報としてモーション情報が入力されてよい。この場合、テレビ１００は、携帯電話２００から入力されたモーション情報を受信し、受信されたモーション情報に従ってテレビ用のアプリケーションの実行状態を制御する。
【００８５】
このように、テレビ１００は、多様な種類の特定情報を携帯電話２００から受信し、それに従って、テレビ用のアプリケーションの実行状態を制御するようになる。なお、携帯電話２００は、携帯電話用のアプリケーションだけでなく、テレビ用のアプリケーションも保存しているため、ユーザは携帯電話２００を所望のテレビ１００と連動させてアプリケーションを実行させることもできるようになる。
【００８６】
以下では、図４を参照しながら携帯電話２００と、別の携帯電話４００及びテレビ１００の制御方法について詳細に説明する。図４は、本発明の一実施形態に係る携帯電話２００、別の携帯電話４００及びテレビ１００の制御方法について説明するために提供されるフローチャートである。ここで、別の携帯電話４００は、携帯電話２００と構造が同一であると仮定して説明する。しかし、別の携帯電話４００が必ずしも携帯電話２００と構造が同一でなければならないというわけではない。
【００８７】
携帯電話２００は、携帯電話用のアプリケーション及びテレビ用のアプリケーションを保存する（Ｓ４１０）。そして、携帯電話２００は、テレビ用のアプリケーションをテレビ１００に伝送する（Ｓ４２０）。
【００８８】
すると、テレビ１００は、テレビ用のアプリケーションを受信し（Ｓ４３０）、受信されたテレビ用のアプリケーションを実行させるようになる（Ｓ４３５）。
【００８９】
そして、携帯電話２００は携帯電話用のアプリケーションを別の携帯電話４００に伝送する（Ｓ４４０）。すると、別の携帯電話４００は、携帯電話用のアプリケーションを受信する（Ｓ４５０）。そして、別の携帯電話４００は、受信された携帯電話用のアプリケーションを実行させる（Ｓ４５２）。
【００９０】
その後に、別の携帯電話４００には、ユーザの操作に従って特定情報が入力される（Ｓ４５４）。そして、別の携帯電話４００は、入力された特定情報をテレビ１００に伝送する（Ｓ４５６）。具体的に、別の携帯電話４００には、音声入力部を介してユーザの音声情報が入力され、タッチ検出部を介してユーザのタッチ操作情報が入力され、ボタン部を介してユーザのボタン操作情報が入力され、モーション検出部を介して別の携帯電話４００のモーション情報が入力されてよい。従って、特定情報は、ユーザの操作に関連した情報であるユーザの音声情報、タッチ操作情報、ボタン操作情報及びモーション情報のうち、いずれか一つであってよい。
【００９１】
具体的に、別の携帯電話４００は音声入力部を介して特定情報としてユーザの音声情報が入力されると、入力された音声情報をテレビ１００に伝送する。なお、別の携帯電話４００はタッチ検出部を介して特定情報としてユーザのタッチ操作情報が入力されると、入力されたタッチ操作情報をテレビ１００に伝送する。なお、別の携帯電話４００はボタン部を介して特定情報としてユーザのボタン操作情報が入力されると、入力されたボタン操作情報をテレビ１００に伝送する。そして、別の携帯電話４００はモーション検出部を介して特定情報としてモーション情報が入力されると、テレビ１００に入力されたモーション情報を伝送する。
【００９２】
すると、テレビ１００は別の携帯電話４００から特定情報を受信する（Ｓ４６０）。そして、テレビ１００は受信された特定除法を処理し、それに従ってテレビ用のアプリケーションの実行状態を制御するようになる（Ｓ４７０）。
【００９３】
具体的に、別の携帯電話４００に特定情報としてユーザの音声情報が入力された場合、テレビ１００は別の携帯電話４００から音声情報を受信するようになる。そして、テレビ１００は受信された音声情報を音声認識を通じて文字情報として認識し、認識された文字情報に従ってテレビ用のアプリケーションの実行状態を制御する。
【００９４】
そして、別の携帯電話４００に特定情報としてユーザのタッチ操作情報が入力された場合、テレビ１００は別の携帯電話４００から入力されたタッチ操作情報を受信する。そして、テレビ１００は受信されたタッチ操作情報に従ってテレビ用のアプリケーションの実行状態を制御する。なお、テレビ１００は受信されたタッチ操作情報を手書き文字認識を通じて文字情報として認識することもできる。この場合、テレビ１００は、認識された文字情報に従ってテレビ用のアプリケーションの実行状態を制御するようになる。
【００９５】
なお、別の携帯電話４００に特定情報としてボタン操作情報が入力されてよい。この場合、テレビ１００は別の携帯電話４００から入力されたボタン操作情報を受信し、受信されたボタン操作情報に従ってテレビ用のアプリケーションの実行状態を制御する。
【００９６】
そして、別の携帯電話４００には、特定情報としてモーション情報が入力されてよい。この場合、テレビ１００は、別の携帯電話４００から入力されたモーション情報を受信し、受信されたモーション情報に従ってテレビ用のアプリケーションの実行状態を制御する。
【００９７】
このように、テレビ１００は、多様な種類の特定情報を別の携帯電話４００から受信し、それに従って、テレビ用のアプリケーションの実行状態を制御するようになる。なお、携帯電話２００は、携帯電話用のアプリケーションを別の携帯電話４００に伝送することができるため、ユーザは携帯電話２００だけでなく、別の携帯電話４００を所望のテレビ１００と連動させてアプリケーションを実行させることもできるようになる。
【００９８】
図５ないし図７は、本発明の一実施形態に係る携帯電話２００がゲームＡをテレビ１００に伝送して実行する過程を示す図である。
【００９９】
図５は、携帯電話２００にゲームＡ実行アイコン５００が表示されている様子を示している。図５の場合、ゲームＡアプリケーションが携帯電話２００に保存されている状態である。ここで、ゲームＡアプリケーションは、ゲームＡ携帯電話用のアプリケーション及びゲームＡテレビ用のアプリケーションを含む。
【０１００】
図５に示すように、ユーザがゲームＡ実行アイコン５００をタッチすると、携帯電話２００はゲームＡをテレビ１００と連動して実行するための準備を行う。即ち。図６に示すように、携帯電話２００は、ゲームＡテレビ用のアプリケーションをテレビ１００に伝送するようになる。
【０１０１】
そして、ゲームＡテレビ用のアプリケーションの伝送が完了すると、図８に示すように、携帯電話２００とテレビ１００はゲームＡを連動して実行するようになる。
【０１０２】
以下では、図８ないし図１０を参照しながら、クイズアプリケーションが実行されている状態で、携帯電話２００に入力された多様な種類の特定情報がテレビ１００に伝送される過程について説明する。
【０１０３】
図８は、本発明の一実施形態に係るユーザが携帯電話２００に音声を入力すると、音声情報がテレビ１００に伝送される様子を示す図である。図８に示すように、ユーザがクイズの正解を入力するために携帯電話２００に音声を入力すると、携帯電話２００は音声情報をテレビ１００に伝送することもできる。すると、テレビ１００は、受信された音声情報が正解か否かを処理し、正否を判断するようにテレビ用のクイズアプリケーションを実行するようになる。
【０１０４】
図９は、本発明の一実施形態に係るユーザが携帯電話２００にタッチ操作を入力すると、タッチ操作情報がテレビ１００に伝送される様子を示す図である。図９に示すように、ユーザがクイズの正解を入力するために携帯電話２００に表示された正解アイコン７００に対するタッチ操作を入力されると、携帯電話２００はタッチ操作情報をテレビ１００に伝送することもできる。すると、テレビ１００は受信されたタッチ操作情報が正解か否かを処理して、正否を判断するようにテレビ用のクイズアプリケーションを実行するようになる。
【０１０５】
図１０は、本発明の一実施形態に係るユーザが携帯電話２００にモーション情報を入力すると、モーション情報がテレビ１００に伝送される様子を示す図である。図１０に示すように、ユーザがクイズの正解を入力するために携帯電話２００に対するモーションを入力すると、携帯電話２００はモーション情報をテレビ１００に伝送することもできる。すると、テレビ１００は受信されたモーション情報が正解か否かを処理して、正否を判断するようにテレビ用のクイズアプリケーションを実行するようになる。
【０１０６】
このように、携帯電話２００には、多様な種類の特定情報が入力され、入力された特定情報をテレビ１００に伝送するようになる。
【０１０７】
図１１は、本発明の一実施形態に係る３つの携帯電話２００−１、２００−２、２００−３がテレビ１００と連動している様子を示す図である。
【０１０８】
図１１において、第１携帯電話２００−１は携帯電話用のアプリケーション及びテレビ用のアプリケーションを保存している。従って、第１携帯電話２００−１はテレビ用のアプリケーションをテレビ１００に伝送する。すると、テレビ１００は、図１１に示すように、テレビ用のアプリケーションを実行するようになる。そして、第１携帯電話２００−１はテレビ用のアプリケーションと連動して携帯電話用のアプリケーションを同時に実行するようになる。
【０１０９】
なお、第１携帯電話２００−１は、第２携帯電話２００−２及び第３携帯電話２００−３に携帯電話用のアプリケーションを伝送する。すると、第２携帯電話２００−２及び第３携帯電話２００−３は受信された携帯電話用のアプリケーションを実行してテレビ用のアプリケーションと連動するようになる。
【０１１０】
従って、テレビ１００には、第１携帯電話２００−１、第２携帯電話２００−２及び第３携帯電話２００−３を通じて特定情報が入力されて制御される。即ち、テレビ１００において実行されるテレビ用のアプリケーションは、３つの携帯電話２００−１、２００−２、２００−３を通じて実行状態が制御される。
【０１１１】
なお、テレビ１００は、第１携帯電話２００−１、第２携帯電話２００−２及び第３携帯電話２００−３の各々からユーザ情報を受信することもできる。従って、テレビ１００は、第１携帯電話２００−１、第２携帯電話２００−２及び第３携帯電話２００−３のユーザを認識することができるようになる。そして、図１１に示すように、テレビ１００は画面に接続目録９００を表示することもできる。図１１に示すように、接続目録９００には接続された携帯電話毎のユーザが対応して表示されることを確認することができる。
【０１１２】
このように、第１携帯電話２００−１は、別の携帯電話に携帯電話用のアプリケーションを伝送することにより、複数の携帯電話をテレビ１００と連動してアプリケーションを実行できるようになる。
【０１１３】
一方、本実施形態において、ディスプレイ装置はテレビ１００であるものとして説明してきたが、アプリケーションを実行させることのできる装置であれば、如何なるものであっても適用されてよい。例えば、ディスプレイ装置は、テレビ１００の他にも、モニタやプロジェクタなどであってよい。
【０１１４】
一方、本実施形態において、携帯用機器は携帯電話２００であるものとして説明してきたが、アプリケーションを実行させることができ、各種操作が入力され得る移動通信端末であれば、如何なるものであっても可能である。例えば、携帯用機器は携帯電話２００以外にも、ＰＤＡやＭＰ３プレーヤー、ＰＭＰなどであってよい。
【０１１５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１６】
１１０  放送受信部
１２０  映像処理部
１３０  ディスプレイ部
１４０  保存部
１７０  制御部
１５０  操作部
１６０  通信部
２１０  通信部
２１５  ディスプレイ部
２２０  保存部
２５０  タッチ検出部
２７０  制御部
２３０  音声入力部
２４０  音声出力部
２６０  モーション検出部
２５５  ボタン部
【図１】
2013507874.tif 000003
【図２】
2013507874.tif 000004
【図３】
2013507874.tif 000005
【図４】
2013507874.tif 000006
【図５】
2013507874.tif 000007
【図６】
2013507874.tif 000008
2013507874.tif 000009
【図７】
2013507874.tif 000010
【図８】
2013507874.tif 000011
【図９】
2013507874.tif 000012
【図１０】
2013507874.tif 000013
【図１１】
2013507874.tif 000014
【国際調査報告】
2013507874.tif 000015
2013507874.tif 000016